(57)【要約】【課題】  燃焼ファンを駆動するモータ部を制御する制御電圧が変化しても燃焼ファンが脈動するのを防止できる給湯装置を提供する。【解決手段】給湯装置の制御部２５は、動作状態から停止、又は、停止状態から動作することにより燃焼ファン９のモータ部２３を制御している制御電圧を変化させる部品が動作状態から停止、又は、停止状態から動作すると同時に、モータ部２３の回転指示電圧が変化しないように回転数指令信号を出力するので、モータ部２３を制御している制御電圧を変化させる部品が動作状態から停止、又は、停止状態から動作することによる制御電圧の上下による回転指示電圧の上下を防止、又は小さくして、燃焼ファン９の脈動を防止、又は小さくして、燃焼ファン９の脈動による音や振動の発生を防止、又は小さくすることができるものである。【選択図】  図４
2015121359.tif 000002
【特許請求の範囲】
【請求項１】
一定量の湯を貯湯する缶体と、該缶体内の温水を加熱するために燃焼を行う燃焼室と、該燃焼室に備えられたバーナ部と、前記燃焼室に燃焼用空気を供給する燃焼ファンと、該燃焼ファンを駆動する直流モータからなるモータ部と、該モータ部を駆動制御するモータ駆動部と、燃焼及び給湯運転を制御する制御部とを備えた給湯装置に於いて、前記制御部は、動作状態から停止、又は、停止状態から動作することによりモータ部を制御している制御電圧を変化させる部品が動作状態から停止、又は、停止状態から動作すると同時に、回転指示電圧が変化しないように回転数指令信号を出力することを特徴とする給湯装置。
【請求項２】
前記モータ駆動部は、モータ部を駆動する駆動回路と、商用交流電源を整流・平滑する整流・平滑回路と、前記制御部からの回転数指令信号を積分し、レベル信号に変換して出力する回転数制御回路と、該回転数制御回路が出力したレベル信号が持つレベルに比例するデューティ比の回転指示電圧を前記駆動回路に出力するＰＷＭ制御回路と、整流・平滑回路から加えられた直流電圧を所望の制御電圧に変換してＰＷＭ制御回路に給電する制御電源と、該制御電源とＰＷＭ制御回路との間に介在し、開閉によってその給電を切り換えるスイッチと、前記制御部からの回転数指令信号を受けることにより、モータ部の回転期間、回転停止期間を判別し、回転期間のみ前記スイッチを閉じることにより、ＰＷＭ制御回路に対して制御電圧を給電するＯＮ−ＯＦＦ制御回路とを備えたことをことを特徴とする請求項１記載の給湯装置。
【請求項３】
前記制御部は、動作状態から停止、又は、停止状態から動作することによりモータ部を制御している制御電圧を変化させる部品が動作状態から停止、又は、停止状態から動作することにより制御電圧が低下する時は、回転指示電圧のデューティ比が上昇して回転指示電圧が上昇するように回転数指令信号を出力し、動作状態から停止、又は、停止状態から動作することによりモータ部を制御している制御電圧を変化させる部品が動作状態から停止、又は、停止状態から動作することにより制御電圧が上昇する時は、回転指示電圧のデューティ比が低下して回転指示電圧が低下するように回転数指令信号を出力することを特徴とする請求項２記載の給湯装置。
【発明の詳細な説明】
【技術分野】
【０００１】
本発明は、ガス又は石油給湯機等の給湯装置に関するものである。
【背景技術】
【０００２】
従来、この種のものに於いては、燃焼ファンと空気通路から成る空気供給部と、燃料供給部、バーナ、燃焼室から成る燃焼部、熱交換器及び排ガス管等から構成されており、前記燃焼ファンより空気通路を通じて燃焼用空気が、燃焼パイプを通して燃料がバーナへ供給され燃焼室内で燃焼する。
又、燃焼後の排ガスは、熱交換器及び排ガス管通って、前記熱交換器で給水管内を通る水を熱交換され、大気へ放出される。
又、燃焼用空気を送る燃焼ファンは、燃焼ファン本体とこれを駆動するモータで構成され、この駆動用モータとして直流ブラシレスモータ使用し、交流電力を整流および平滑して得られる直流電力をスイッチングして駆動用モータに駆動電力として供給することによりモータを回転させる、いわゆるＰＷＭ方式により駆動用モータを制御していた。
（例えば特許文献１参照）
【先行技術文献】
【特許文献】
【０００３】
【特許文献１】特開平０８−２６６０８０号公報
【発明の概要】
【発明が解決しようとする課題】
【０００４】
ところで、この従来のものでは、燃焼ファンの回転数を検知してフィードバック制御をし、制御用電圧が上下してもデューティ比を変えて駆動用モータへの回転指示電圧を所定の値となるように制御しているが、図６に示すように、燃焼ファンが駆動用モータにより駆動している時に、例えば熱交換器で熱交換されて高温となった高温水と低温の水道水を混合して設定された水温のお湯にする湯水混合弁や風呂の循環回路の循環ポンプ等が動作して前記駆動用モータの制御用電圧が下降すると、デューティ比を変えて駆動用モータへの回転指示電圧を所定の値となるように制御するが、デューティ比がすぐには変わらないので、回転指示電圧も下降して燃焼ファンの回転数が下がり、デューティ比が変わって元の回転数に戻るが、その後湯水混合弁等が停止して前記駆動用モータの制御用電圧が上昇すると、デューティ比がすぐには変わらないので、回転指示電圧も上昇して燃焼ファンの回転数が上がり、結局、制御用電圧が上下するとフィードバック制御が間に合わずに回転指示電圧も上下してしまい、それが燃焼ファンの脈動となって音や振動が発生する課題があった。
【課題を解決するための手段】
【０００５】
上記課題を解決するために、本発明の請求項１では、一定量の湯を貯湯する缶体と、該缶体内の温水を加熱するために燃焼を行う燃焼室と、該燃焼室に備えられたバーナ部と、前記燃焼室に燃焼用空気を供給する燃焼ファンと、該燃焼ファンを駆動する直流モータからなるモータ部と、該モータ部を駆動制御するモータ駆動部と、燃焼及び給湯運転を制御する制御部とを備えた給湯装置に於いて、前記制御部は、動作状態から停止、又は、停止状態から動作することによりモータ部を制御している制御電圧を変化させる部品が動作状態から停止、又は、停止状態から動作すると同時に、回転指示電圧が変化しないように回転数指令信号を出力するものである。
【０００６】
また、請求項２では、請求項１において、前記モータ駆動部は、モータ部を駆動する駆動回路と、商用交流電源を整流・平滑する整流・平滑回路と、前記制御部からの回転数指令信号を積分し、レベル信号に変換して出力する回転数制御回路と、該回転数制御回路が出力したレベル信号が持つレベルに比例するデューティ比の回転指示電圧を前記駆動回路に出力するＰＷＭ制御回路と、整流・平滑回路から加えられた直流電圧を所望の制御電圧に変換してＰＷＭ制御回路に給電する制御電源と、該制御電源とＰＷＭ制御回路との間に介在し、開閉によってその給電を切り換えるスイッチと、前記制御部からの回転数指令信号を受けることにより、モータ部の回転期間、回転停止期間を判別し、回転期間のみ前記スイッチを閉じることにより、ＰＷＭ制御回路に対して制御電圧を給電するＯＮ−ＯＦＦ制御回路とを備えたものである。
【０００７】
また、請求項３では、請求項２において、前記制御部は、動作状態から停止、又は、停止状態から動作することによりモータ部を制御している制御電圧を変化させる部品が動作状態から停止、又は、停止状態から動作することにより制御電圧が低下する時は、回転指示電圧のデューティ比が上昇して回転指示電圧が上昇するように回転数指令信号を出力し、動作状態から停止、又は、停止状態から動作することによりモータ部を制御している制御電圧を変化させる部品が動作状態から停止、又は、停止状態から動作することにより制御電圧が上昇する時は、回転指示電圧のデューティ比が低下して回転指示電圧が低下するように回転数指令信号を出力するものである。
【発明の効果】
【０００８】
この発明の請求項１によれば、制御部は、動作状態から停止、又は、停止状態から動作することによりモータ部を制御している制御電圧を変化させる部品が動作状態から停止、又は、停止状態から動作すると同時に、回転指示電圧が変化しないように回転数指令信号を出力するので、モータ部を制御している制御電圧を変化させる部品が動作状態から停止、又は、停止状態から動作することによる制御電圧の上下による回転指示電圧の上下を防止、又は小さくして、燃焼ファンの脈動を防止、又は小さくして、燃焼ファンの脈動による音や振動の発生を防止、又は小さくすることができるものである。
【０００９】
また、請求項２によれば、前記モータ駆動部は、モータ部を駆動する駆動回路と、商用交流電源を整流・平滑する整流・平滑回路と、前記制御部からの回転数指令信号を積分し、レベル信号に変換して出力する回転数制御回路と、該回転数制御回路が出力したレベル信号が持つレベルに比例するデューティ比の回転指示電圧を前記駆動回路に出力するＰＷＭ制御回路と、整流・平滑回路から加えられた直流電圧を所望の制御電圧に変換してＰＷＭ制御回路に給電する制御電源と、該制御電源とＰＷＭ制御回路との間に介在し、開閉によってその給電を切り換えるスイッチと、前記制御部からの回転数指令信号を受けることにより、モータ部の回転期間、回転停止期間を判別し、回転期間のみ前記スイッチを閉じることにより、ＰＷＭ制御回路に対して制御電圧を給電するＯＮ−ＯＦＦ制御回路とを備えたものなので、モータ部を制御している制御電圧が変化する部品が動作状態から停止、又は、停止状態から動作すると同時に、制御電圧の変化による回転指示電圧の変化が相殺されて回転指示電圧が変化しないように、ＰＷＭ制御回路から駆動回路に出力する回転指示電圧のデューティ比を変化させるように、制御部が回転数制御回路に回転数指令信号を出力し、それによりモータ部を制御している制御電圧を変化させる部品が動作状態から停止、又は、停止状態から動作することによる制御電圧の上下による回転指示電圧の上下を防止、又は小さくして、燃焼ファンの脈動を防止、又は小さくして、燃焼ファンの脈動による音や振動の発生を防止、又は小さくすることができるものである。
【００１０】
また、請求項３によれば、前記制御部は、動作状態から停止、又は、停止状態から動作することによりモータ部を制御している制御電圧を変化させる部品が動作状態から停止、又は、停止状態から動作することにより制御電圧が低下する時は、回転指示電圧のデューティ比が上昇して回転指示電圧が上昇するように回転数指令信号を出力し、動作状態から停止、又は、停止状態から動作することによりモータ部を制御している制御電圧を変化させる部品が動作状態から停止、又は、停止状態から動作することにより制御電圧が上昇する時は、回転指示電圧のデューティ比が低下して回転指示電圧が低下するように回転数指令信号を出力するので、モータ部を制御している制御電圧が変化する部品が動作状態から停止、又は、停止状態から動作すると同時に、制御電圧の変化による回転指示電圧の変化が相殺されて回転指示電圧が変化しないように、ＰＷＭ制御回路から駆動回路に出力する回転指示電圧のデューティ比を変化させるように、制御部が回転数制御回路に回転数指令信号を出力し、モータ部を制御している制御電圧を変化させる部品が動作状態から停止、又は、停止状態から動作することによる制御電圧の上下による回転指示電圧の上下を防止、又は小さくして、燃焼ファンの脈動を防止、又は小さくして、燃焼ファンの脈動による音や振動の発生を防止、又は小さくすることができるものである。
【図面の簡単な説明】
【００１１】
【図１】この発明の一実施例を付した給湯装置の概略構成図。
【図２】同概略構成図。
【図３】同モータ駆動部を含む構成図。
【図４】同燃焼時のタイミングチャート図。
【図５】同燃焼時のフローチャート図。
【図６】従来の燃焼時のタイミングチャート図。
【発明を実施するための形態】
【００１２】
次にこの発明に係る給湯装置を図面に示す一実施例で説明する。
１は一定量の湯を貯湯する円筒状の缶体で、内方には風呂用熱交換器２と煙管３及び下方には燃焼室４を備え、更にこの燃焼室４には点火電極５やノズル６が一体となったガンタイプ式のバーナ部７が備えられ、更に吸気口８から吸気した空気を燃焼用空気として燃焼室４に送風する燃焼ファン９が設けられているものである。
【００１３】
１０は缶体１上部に備えられ該缶体１表面温度を検知するサーモスタットから成る空焚き検知サーモで、常時閉成状態で所定温度以上ここでは９５℃以上を検知して開成し、７０℃に温度降下すると自動的に閉成状態に復帰するもので、缶体１内が空の状態を該缶体１の表面温度の変化で検知するものである。
【００１４】
１１は缶体１内の湯温を検知する湯温サーミスタで、設定温度と現在湯温とを比較してバーナ部７の燃焼をＯＮ−ＯＦＦ及び比例制御して、湯温を設定温度にすると共に、運転開始時には非空焚き状態であることを検知するものである。
【００１５】
１２は缶体１内へ市水道からの水を減圧して給水する給水管で、缶体１で加熱された温水を適宜給湯必要箇所に供給する給湯管１３と並設されている。
【００１６】
１４は缶体１内の風呂用熱交換器２と浴槽１５とを連通した循環回路で、途中には循環ポンプ１６及び浴槽１５内の湯温を検知する風呂サーミスタ１７が備えられ、該風呂サーミスタ１７によってバーナ部７及び循環ポンプ１６が制御され、風呂の沸き上げ及び追い焚きを行うものである。
【００１７】
１８は煙管３と連通し全体を収納した給湯機を構成する枠体（図示せず）上面より突出した排気筒で、途中には排気時の騒音低下の為のサイレンサー部（図示せず）が備えられている。
【００１８】
前記燃焼ファン９の吸気口８内には、吸気口８を開閉する吸気口開閉弁１９が設けられ、燃焼ファン９とバーナ部７をつなぐ送風経路２０内には、送風経路を開閉する送風経路開閉弁２１が設けられ、排気筒１８内の上流には、排気経路を開閉する排気経路開閉弁２２が設けられているものである。
【００１９】
２３は直流モータからなるモータ部で、燃焼ファン９を駆動するものである。
２４は回転数検知手段で、前記モータ部２３の回転数を検知して、その検知した回転数の検知信号を給湯装置の運転を制御する制御部２５に出力するものであり、前記制御部２５は予め設定された回転数と回転数の検知信号とを演算して回転数指令信号を出力するものである。
【００２０】
２６はモータ駆動部で、モータ部２３を駆動する駆動回路２７と、商用交流電源を整流・平滑する整流・平滑回路２８と、前記制御部２５からの回転数指令信号を積分し、レベル信号に変換して出力する回転数制御回路２９と、該回転数制御回路２９が出力したレベル信号が持つレベルに比例するデューティ比の回転指示電圧を前記駆動回路２７に出力するＰＷＭ制御回路３０とスイッチング電源回路等で構成されており、整流・平滑回路２８から加えられた直流電圧を所望の制御電圧に変換してＰＷＭ制御回路３０に給電する制御電源３１と、制御電源３１とＰＷＭ制御回路３０との間に介在し、開閉によってその給電を切り換えるスイッチ３２と、前記制御部２５からの回転数指令信号を受けることにより、モータ部２３の回転期間、回転停止期間を判別し、回転期間のみ前記スイッチ３２を閉じることにより、ＰＷＭ制御回路３０に対して制御電圧を給電するＯＮ−ＯＦＦ制御回路３３とを備えるものである。
【００２１】
次にこの発明一実施例の作動について説明する。
まずリモコン（図示せず）に備えられた電源スイッチ（図示せず）をＯＮし（Ｓ１）、次に運転スイッチ（図示せず）をＯＮすると（Ｓ２）、制御部２５は缶体１内の温水の温度を検知し、その検知した温水温度とリモコンにて設定された設定温度とを比較し（Ｓ３）、設定温度よりも缶体１内の温水の温度が低いとバーナ部７の燃焼を行って加熱する必要があると判断する。
【００２２】
そして、制御部２５は、ノズル６から燃油を燃焼室４内に噴霧すると共に燃焼ファン９を駆動して燃焼用空気を燃焼室４に送風し、点火電極５にて点火することにより着火を開始する。（Ｓ４）
【００２３】
そして、次に制御部２５は、燃焼ファン９を駆動しているモータ部２３を制御している制御電圧が変化する部品、例えば湯水混合弁や風呂の循環回路の循環ポンプが停止状態から動作したかを判断し（Ｓ５）、制御電圧が変化する部品が停止状態から動作したと判断した時、制御電圧が変化することでＰＷＭ制御回路３０から駆動回路２７に出力する回転指示電圧が変化しないように、つまりデューティ比を変化させて回転指示電圧が変化しないように回転数制御回路２９に回転数指令信号を出力する。（Ｓ６）
【００２４】
この（Ｓ６）では、制御電圧と他の部品が同じ電圧系統の場合は、図６のように他の部品が停止状態から動作した時、制御電圧が低下するため、図４のように制御部２５は他の部品が停止状態から動作したと同時に回転指示電圧が上昇するように、つまりデューティ比が上がるように回転数制御回路２９に回転数指令信号を出力し、又、逆に制御電圧と他の部品が異なる電圧系統で更に他の部品の電圧で電源のフィードバック制御を行う場合は、他の部品が停止状態から動作した時、制御電圧が上昇するため、制御部２５は他の部品が停止状態から動作したと同時に回転指示電圧が低下するように、つまりデューティ比を変化させて回転指示電圧が変化しないように回転数制御回路２９に回転数指令信号を出力するものである。
【００２５】
そして、次に制御部２５は、燃焼ファン９を駆動しているモータ部２３を制御している制御電圧が変化する部品、例えば湯水混合弁や風呂の循環回路の循環ポンプが動作状態から停止したかを判断し（Ｓ７）、制御電圧が変化する部品が動作状態から停止したと判断した時、制御部２５はＰＷＭ制御回路３０から駆動回路２７に出力する回転指示電圧が変化しないように、つまりデューティ比が変化するように回転数制御回路２９に回転数指令信号を出力する。（Ｓ８）
【００２６】
この（Ｓ８）では、制御電圧と他の部品が同じ電圧系統の場合は、図６のように他の部品が動作状態から停止した時、制御電圧が上昇するため、図４のように制御部２５は他の部品が動作状態から停止したと同時に回転指示電圧が低下するように、つまりデューティ比が下がるように回転数制御回路２９に回転数指令信号を出力し、又、逆に制御電圧と他の部品が異なる電圧系統で更に他の部品の電圧で電源のフィードバック制御を行う場合は、他の部品が動作状態から停止した時、回転指示電圧が低下するため、制御部２５は他の部品が動作状態から停止したと同時に回転指示電圧が上昇するように、つまりデューティ比が上がるように回転数制御回路２９に回転数指令信号を出力するものである。
【００２７】
そして、次に制御部２５は、缶体１内の温水の温度を検知し、その検知した温水温度が設定温度以上かを判断し（Ｓ９）、検知した温水温度が設定温度未満の時は（Ｓ５）に戻り、検知した温水温度が設定温度以上の時は、燃油を燃焼室４内に噴霧するのを停止して消火を行い（Ｓ１０）、その後所定時間燃焼ファン９を駆動して燃焼室４内のポストパージを行い（Ｓ１１）、ポストパージが終了した時点で燃焼終了と判断して（Ｓ１２）、（Ｓ１）へと戻るものである。
【００２８】
又、（Ｓ５）で、制御部２５は、燃焼ファン９を駆動しているモータ部２３を制御している制御電圧が変化する部品、例えば湯水混合弁や風呂の循環回路の循環ポンプが停止状態から動作していないと判断した時は、次に燃焼ファン９を駆動しているモータ部２３を制御している制御電圧が変化する部品が動作状態から停止したかを判断し（Ｓ１３）、に燃焼ファン９を駆動しているモータ部２３を制御している制御電圧が変化する部品が動作状態から停止していないと判断した時は（Ｓ９）に進み、制御電圧が変化する部品が動作状態から停止したと判断した時、制御部２５はＰＷＭ制御回路３０から駆動回路２７に出力する回転指示電圧が変化しないように、つまりデューティ比が変化するように回転数制御回路２９に回転数指令信号を出力する。（Ｓ１４）
【００２９】
これは、例えば燃焼開始前に既に動作していた風呂の循環回路の循環ポンプが燃焼開始後に動作状態から停止するような場合で、（Ｓ１４）では、制御電圧と他の部品が同じ電圧系統の場合は、他の部品が動作状態から停止した時、制御電圧が上昇するため、図４のように制御部２５は他の部品が動作状態から停止したと同時に回転指示電圧が低下するように、つまりデューティ比が下がるように回転数制御回路２９に回転数指令信号を出力し、又、逆に制御電圧と他の部品が異なる電圧系統で更に他の部品の電圧で電源のフィードバック制御を行う場合は、他の部品が動作状態から停止した時、制御電圧が低下するため、制御部２５は他の部品が動作状態から停止したと同時に回転指示電圧が上昇するように、つまりデューティ比が上がるように回転数制御回路２９に回転数指令信号を出力するものである。
【００３０】
そして（Ｓ１４）で他の部品が動作状態から停止したと同時に回転指示電圧が上昇するように、つまりデューティ比が上がるように回転数制御回路２９に回転数指令信号を出力した後、（Ｓ９）に進むものである。
又、（Ｓ７）で燃焼ファン９を駆動しているモータ部２３を制御している制御電圧が変化する部品が動作状態から停止していないと判断した時は、（Ｓ９）に進むものである。
【００３１】
以上のように燃焼室４に燃焼用空気を送風する燃焼ファン９を駆動する直流モータからなるモータ部２３の駆動制御を、モータ部２３の回転数を検知してフィードバック制御をし、制御用電圧が上下してもデューティ比を変えて駆動用モータへの回転指示電圧を所定の値となるように制御するとともに、モータ部２３が駆動している時に、モータ部２３を制御している制御電圧が変化する部品、例えば湯水混合弁や風呂の循環回路の循環ポンプが動作状態から停止、又は、停止状態から動作する時、動作状態から停止、又は、停止状態から動作すると同時に回転指示電圧が変化しないように、制御部２５が回転数指令信号を出力するものである。
【００３２】
つまり、モータ部２３を制御している制御電圧が変化する部品が動作状態から停止、又は、停止状態から動作すると同時に、制御電圧の変化による回転指示電圧の変化が相殺されて回転指示電圧が変化しないように、ＰＷＭ制御回路３０から駆動回路２７に出力する回転指示電圧のデューティ比を変化させるように、制御部２５が回転数制御回路２９に回転数指令信号を出力するので、モータ部２３を制御している制御電圧を変化させる部品が動作状態から停止、又は、停止状態から動作することによる制御電圧の上下による回転指示電圧の上下を防止、又は小さくして、燃焼ファンの脈動を防止、又は小さくして、燃焼ファンの脈動による音や振動の発生を防止、又は小さくすることができるものである。
【符号の説明】
【００３３】
１  缶体
４  燃焼室
７  バーナ部
９  燃焼ファン
２３  モータ部
２６  モータ駆動部
２５  制御部
【図１】
2015121359.tif 000003
【図２】
2015121359.tif 000004
【図３】
2015121359.tif 000005
【図４】
2015121359.tif 000006
【図５】
2015121359.tif 000007
【図６】
2015121359.tif 000008